(57)【要約】      （修正有）【課題】拭き取り抵抗によるモップクロスのめくれを抑制するモップヘッド、モップ用アダプター、ウェットモップクロス及びそれらを使用したモップを提供する。【解決手段】モップヘッド１は、使い捨てのウエットモップクロス３を取り付けるためのクロス取付面１５を備え、クロス取付面１５の拭き取り方向Ａの寸法は、ウエットモップクロス３の拭き取り方向Ａの寸法と略等しく、クロス取付面１５にはウエットモップクロス３を着脱可能な面ファスナー１７が設けられており、クロス取付面１５の中央部１５ａが所定の仮想平面に接地した場合に、拭き取り方向Ａにおけるクロス取付面１５の両端のエッジ１５ｅが仮想平面から離れて位置する。【選択図】図４
0003194573.tif 000002
【実用新案登録請求の範囲】
【請求項１】
使い捨てのウエットモップクロスを取り付けるためのクロス取付面を備えたモップヘッドであって、
前記クロス取付面の拭き取り方向の寸法は、前記ウエットモップクロスの拭き取り方向の寸法と略等しく、
前記クロス取付面には前記ウエットモップクロスを着脱可能な面ファスナーが設けられており、
前記クロス取付面の中央部が所定の仮想平面に接地した場合に、前記拭き取り方向における前記クロス取付面の両端のエッジが前記仮想平面から離れて位置する、モップヘッド。
【請求項２】
前記クロス取付面は、
前記拭き取り方向における両端部のそれぞれに設けられ、前記中央部に対して低く形成された段差部を有する、請求項１に記載のモップヘッド。
【請求項３】
前記クロス取付面は、
前記拭き取り方向における両端部のそれぞれに設けられ、前記中央部に対して傾斜した傾斜部を有する、請求項１に記載のモップヘッド。
【請求項４】
一方側にモップホルダーに取り付けられるホルダー取付面を備え、他方側に使い捨てのウエットモップクロスを取り付けるためのクロス取付面を備え、前記モップホルダーと前記ウエットモップクロスとの間に介在されるモップ用アダプターであって、
前記クロス取付面の拭き取り方向の寸法は、前記ウエットモップクロスの拭き取り方向の寸法と略等しく、
前記クロス取付面には前記ウエットモップクロスを着脱可能な面ファスナーが設けられており、
前記クロス取付面の中央部が所定の仮想平面に接地した場合に、前記拭き取り方向における前記クロス取付面の両端のエッジが前記仮想平面から離れて位置する、モップ用アダプター。
【請求項５】
前記クロス取付面は、
前記拭き取り方向における両端部のそれぞれに設けられ、前記中央部に対して低く形成された段差部を有する、請求項４に記載のモップ用アダプター。
【請求項６】
前記クロス取付面は、
前記拭き取り方向における両端部のそれぞれに設けられ、前記中央部に対して傾斜した傾斜部を有する、請求項４に記載のモップ用アダプター。
【請求項７】
請求項１〜３の何れか１項に記載のモップヘッド、又は請求項４〜６の何れか１項に記載のモップ用アダプターに取り付けて使用されるウエットモップクロスであって、
清掃対象の面に接触する清掃用不織布層と、
前記面ファスナーに対して着脱可能に付着する付着用不織布層と、
前記清掃用不織布層と前記付着用不織布層との間に位置し吸水性と保水性とを有する吸水保水層と、
前記拭き取り方向の両端部において前記清掃用不織布層と前記付着用不織布層と前記吸水保水層とが一体化加工されてなるシール部と、
を備えたウエットモップクロス。
【請求項８】
使い捨てのウエットモップクロスと、
前記ウエットモップクロスを取り付けるためのクロス取付面を備えたモップヘッドと、を備えるモップであって、
前記クロス取付面の拭き取り方向の寸法は、前記ウエットモップクロスの拭き取り方向の寸法と略等しく、
前記クロス取付面には前記ウエットモップクロスを着脱可能な面ファスナーが設けられており、
前記クロス取付面の中央部が所定の仮想平面に接地した場合に、前記拭き取り方向における前記クロス取付面の両端のエッジが前記仮想平面から離れて位置する、モップ。
【請求項９】
前記ウエットモップクロスが、
清掃対象の面に接触する清掃用不織布層と、
前記面ファスナーに対して着脱可能に付着する付着用不織布層と、
前記清掃用不織布層と前記付着用不織布層との間に位置し吸水性と保水性とを有する吸水保水層と、
前記拭き取り方向の両端部において前記清掃用不織布層と前記付着用不織布層と前記吸水保水層とが一体化加工されてなるシール部と、を備えた、請求項８に記載のモップ。
【考案の詳細な説明】
【技術分野】
【０００１】
本考案は、モップヘッド、モップ用アダプター、モップクロス、及びモップに関するものである。
【背景技術】
【０００２】
下記特許文献１には、モップヘッドの底面に不織布シートのモップクロスを装着し、このモップクロスで汚れを捕集するモップが開示されている。
【先行技術文献】
【特許文献】
【０００３】
【特許文献１】特開平６−３１１９５４号公報
【考案の概要】
【考案が解決しようとする課題】
【０００４】
特許文献１のモップでは、底面に設置されたモップクロスの両端が、モップヘッドの両端部を覆うように上方に折り返されモップヘッドの上面に達している。モップクロスの製造コスト低減のためにモップクロスの小型化が考えられるが、安易に両端の折り返し部分を小さくすると、清掃時の拭き取り抵抗によってモップクロスがめくれやすくなる。特に、濡れた床面を拭く場合や、ウエットタイプのモップクロスを用いる場合は、よりめくれ易くなる傾向がある。この種のモップによる清掃の質や作業性を確保する上で、拭き取り抵抗によるモップクロスのめくれを抑制することは重要である。
【課題を解決するための手段】
【０００５】
本考案は、１つの態様において、使い捨てのウエットモップクロスを取り付けるためのクロス取付面を備えたモップヘッドであって、前記クロス取付面の拭き取り方向の寸法は、前記ウエットモップクロスの拭き取り方向の寸法と略等しく、前記クロス取付面には前記ウエットモップクロスを着脱可能な面ファスナーが設けられており、前記クロス取付面の中央部が所定の仮想平面に接地した場合に、前記拭き取り方向における前記クロス取付面の両端のエッジが前記仮想平面から離れて位置する、モップヘッドである。
【０００６】
他の態様において、前記クロス取付面は、前記拭き取り方向における両端部のそれぞれに設けられ、前記中央部に対して低く形成された段差部を有してもよい。また、更に他の態様において、前記クロス取付面は、前記拭き取り方向における両端部のそれぞれに設けられ、前記中央部に対して傾斜した傾斜部を有してもよい。
【０００７】
本考案は、更に他の態様において、一方側にモップホルダーに取り付けられるホルダー取付面を備え、他方側に使い捨てのウエットモップクロスを取り付けるためのクロス取付面を備え、前記モップホルダーと前記ウエットモップクロスとの間に介在されるモップ用アダプターであって、前記クロス取付面の拭き取り方向の寸法は、前記ウエットモップクロスの拭き取り方向の寸法と略等しく、前記クロス取付面には前記ウエットモップクロスを着脱可能な面ファスナーが設けられており、前記クロス取付面の中央部が所定の仮想平面に接地した場合に、前記拭き取り方向における前記クロス取付面の両端のエッジが前記仮想平面から離れて位置する、モップ用アダプターである。
【０００８】
更に他の態様において、前記クロス取付面は、前記拭き取り方向における両端部のそれぞれに設けられ、前記中央部に対して低く形成された段差部を有してもよい。また、更に他の態様において、前記クロス取付面は、前記拭き取り方向における両端部のそれぞれに設けられ、前記中央部に対して傾斜した傾斜部を有してもよい。
【０００９】
本考案は、更に他の態様において、上記何れかのモップヘッド、又は上記何れかのモップ用アダプターに取り付けて使用されるウエットモップクロスであって、清掃対象の面に接触する清掃用不織布層と、前記面ファスナーに対して着脱可能に付着する付着用不織布層と、前記清掃用不織布層と前記付着用不織布層との間に位置し吸水性と保水性とを有する吸水保水層と、前記拭き取り方向の前記両端部において前記清掃用不織布層と前記付着用不織布層と前記吸水保水層とが一体化加工されてなるシール部と、を備えたウエットモップクロスである。
【００１０】
本考案は、更に他の態様において、使い捨てのウエットモップクロスと、前記ウエットモップクロスを取り付けるためのクロス取付面を備えたモップヘッドと、を備えるモップであって、前記クロス取付面の拭き取り方向の寸法は、前記ウエットモップクロスの拭き取り方向の寸法と略等しく、前記クロス取付面には前記ウエットモップクロスを着脱可能な面ファスナーが設けられており、前記クロス取付面の中央部が所定の仮想平面に接地した場合に、前記拭き取り方向における前記クロス取付面の両端のエッジが前記仮想平面から離れて位置する、モップである。
【００１１】
更に他の態様において、前記ウエットモップクロスが、清掃対象の面に接触する清掃用不織布層と、前記面ファスナーに対して着脱可能に付着する付着用不織布層と、前記清掃用不織布層と前記付着用不織布層との間に位置し吸水性と保水性とを有する吸水保水層と、前記拭き取り方向の両端部において前記清掃用不織布層と前記付着用不織布層と前記吸水保水層とが一体化加工されてなるシール部と、を備えてもよい。
【考案の効果】
【００１２】
本考案によれば、拭き取り抵抗によるモップクロスのめくれを抑制することができる。
【図面の簡単な説明】
【００１３】
【図１】第１実施形態に係るモップを示す分解斜視図である。
【図２】図１のII-II断面図である。
【図３】図１のIII-III断面図である。
【図４】使用状態におけるモップヘッドの一方の端部を示す断面図である。
【図５】モップヘッドの変形例を示す斜視図である。
【図６】モップヘッドの他の変形例を示す斜視図である。
【図７】第２実施形態に係るアダプターの断面図である。
【図８】第３実施形態に係るアダプターの断面図である。
【考案を実施するための形態】
【００１４】
以下、図面を参照しつつ本考案の実施形態について詳細に説明する。各図面は、説明に係る特徴を誇張して描写する場合があるので、図面上の各部位の寸法比は実物や他の図面と一致しない場合がある。また、各構成要素の位置関係の説明において、「上面」、「下面」等の上下の概念を含む語は、モップの使用状態における上下方向に対応させるものとする。
【００１５】
（第１実施形態）
図１は、本実施形態に係るモップ１０を示す分解斜視図である。モップ１０は、モップヘッド１の底面に使い捨てのウエットモップクロス３が取り付けられて、例えば床面を清掃することに使用される。モップヘッド１は、平面視で長方形をなしており、その寸法は、例えば、長辺約４２０ｍｍ、短辺約１２０ｍｍである。モップ１０のユーザは、床面上でモップヘッド１を上記長方形の短辺方向（図中の矢印Ａ）に往復して滑らせることで、床面の拭き取りを行う。以下、拭き取り時にモップヘッド１を滑らせる方向を「拭き取り方向Ａ」と称する。
【００１６】
モップヘッド１は、モップホルダー５と、モップホルダー５の下面に取り付けられるアダプター７とを備えている。モップホルダー５は、例えばＡＢＳ、塩化ビニル，ポリプロピレン（ＰＰ）等の樹脂や、アルミニウム等の金属からなる長方形平板状の部材である。モップホルダー５の下面には面ファスナー１１が設けられている。アダプター７は、モップホルダー５とウエットモップクロス３との間に介在されるモップ用アダプターである。アダプター７の上面には、上記面ファスナー１１に対応する位置に面ファスナー１３が設けられている。面ファスナー１１と面ファスナー１３との付着力により、モップホルダー５の下面に対してアダプター７が着脱可能に装着される。
【００１７】
面ファスナー１１としては、例えば、フックアンドループタイプのフック側を用いることができ、面ファスナー１３としては、例えば、フックアンドループタイプのループ側を用いることができる。モップホルダー５とアダプター７とを着脱可能にする構成としては、面ファスナーに限られず、例えば、嵌め込み機構等の他の機構を採用してもよい。このように面ファスナー１３が設置されたアダプター７の上面は、モップホルダー５に取り付けられるホルダー取付面８として機能する。なお、面ファスナー１１としてフックアンドループタイプのフック側を用いる構成によれば、モップホルダー５の下にモップクロスを直接装着することも可能である。この場合、例えば繰り返し使用可能なリユース型のモップクロスが用いられてもよい。
【００１８】
アダプター７の下面は、ウエットモップクロス３を取り付けるためのクロス取付面１５である。アダプター７の最下層に面ファスナー１７が設けられており、面ファスナー１７の下面がクロス取付面１５として機能する。面ファスナー１７とウエットモップクロス３の上面との付着力によって、アダプター７の下面に対してウエットモップクロス３が着脱可能に装着される。面ファスナー１７としては、例えば、フックアンドループタイプのフック側を用いることができる。
【００１９】
モップヘッド１には、ユーザが把持し操作するための棒状の柄９が取り付けられる。柄９は、モップホルダー５の上面に取り付けられ、例えば、モップホルダー５に対して２軸周りに回転可能とされている。柄９は、例えば、床面に向けて洗浄液を噴出する噴出部（図示せず）と、洗浄液を貯留する貯留タンク（図示せず）とを有してもよい。
【００２０】
続いて、アダプター７の構成について更に詳細に説明する。図２は、拭き取り方向Ａに平行な断面（図１におけるII-II断面）を取ったアダプター７の断面図である。
【００２１】
図２に示されるように、アダプター７は、長方形板状の台座プレート２１と、台座プレート２１の下面中央に接着された長方形板状の下部板材２３と、を備えている。台座プレート２１は、例えばポリプロピレン樹脂からなる硬質の板材である。前述の面ファスナー１３は台座プレート２１の上面に設けられており、台座プレート２１の上面が、モップホルダーに取り付けられるホルダー取付面８を構成する。
【００２２】
下部板材２３は、例えばゴムスポンジからなる軟質の板材である。拭き取り方向Ａにおいて、下部板材２３の長さは台座プレート２１よりも短いので、台座プレート２１の下面の両端が下部板材２３からはみ出している。はみ出した台座プレート２１の下面と下部板材２３の下面とを覆うように、シート状の面ファスナー１７が設けられている。前述のとおり、面ファスナー１７の下面が、ウエットモップクロス３への付着力を有するクロス取付面１５を構成する。
【００２３】
この構造により、アダプター７のクロス取付面１５の両端には段差が生じ、クロス取付面１５は、拭き取り方向Ａにおける両端部のそれぞれに設けられ中央部１５ａに対して低く形成された段差部１５ｂを有する。中央部１５ａは、下部板材２３の下面に対応する部分であり、段差部１５ｂは、下部板材２３からはみ出した台座プレート２１の下面に対応する部分である。段差部１５ｂの拭き取り方向Ａの長さは、例えば５ｍｍ以上、あるいは８ｍｍ以上、２０ｍｍ以下、あるいは１５ｍｍ以下とすることができる。
【００２４】
このようなクロス取付面１５の段差の存在によって、中央部１５ａが所定の仮想平面（図中に符号Ｂで示す）に接地した場合に、拭き取り方向Ａにおけるクロス取付面１５の両端のエッジ１５ｅが仮想平面Ｂから離れて位置することになる。仮想平面Ｂとエッジ１５ｅとの距離は、下部板材２３の板厚により調整することができ、例えば２ｍｍ以上、あるいは３ｍｍ以上、１０ｍｍ以下、あるいは８ｍｍ以下とすることができる。
【００２５】
続いて、ウエットモップクロス３の構成について更に詳細に説明する。図３は、拭き取り方向Ａに平行な断面（図１におけるIII-III断面）を取ったウエットモップクロス３の断面図である。
【００２６】
図１にも示される通り、ウエットモップクロス３は長方形のシート状をなし、その平面視形状は、クロス取付面１５の平面視形状とほぼ等しい。ウエットモップクロス３の厚さは、例えば０．５〜８ｍｍである。そして、ウエットモップクロス３の拭き取り方向Ａの長さ、すなわちウエットモップクロス３の寸法は、クロス取付面１５の拭き取り方向Ａの寸法と略等しい。ここで「略等しい」とは、ウエットモップクロス３の拭き取り方向Ａの寸法が、クロス取付面１５の拭き取り方向Ａの寸法の０．８〜１．２倍、好ましくは０．９〜１．１倍を言う。このように、ウエットモップクロス３の拭き取り方向Ａの寸法をクロス取付面１５と同等にまで小型化することで、ウエットモップクロス３の製造コストの低減を図ることができる。特に、使い捨てタイプのウェットモップクロスを用いる場合は、使い捨てタイプのドライモップクロスに比べ、単価が高いため、小型化することによるメリットは大きい。
【００２７】
図３に示される通り、ウエットモップクロス３は、少なくとも付着用不織布層２７と、吸水保水層２９と、清掃用不織布層３１との３層を備えている。最下層である清掃用不織布層３１は、例えばレーヨン，コットン，ポリプロピレン，ナイロン，ポリエステル，ポリエチレン等の繊維からなり、使用時には清掃対象である床面上を摺動し床面上の汚れを捕集する。例えば、不織布層３１として、４０〜１００ｇ/ｍ２の目付の不織布が使用できる。吸水保水層２９は、清掃用不織布層３１と付着用不織布層２７との間に挟まれて位置し、吸水性と保水性とを有する層である。吸水保水層２９は、例えばコットン，セルロース，パルプ，レーヨン，ポリプロピレン等の繊維からなり、床面から拭き取られる洗浄液を吸収すると共に、洗浄液を保持する。例えば、吸水保水層２９として、５０〜３００ｇ/ｍ２の目付の不織布が使用できる。最上層である付着用不織布層２７は、例えばポリプロピレン，ポリエチレン，ナイロン，ポリエステル等の繊維からなる不織布であり、その繊維がアダプター７の面ファスナー１７に絡むことで、アダプター７に対する付着力を発揮する。例えば、吸水保水層２９として、１０〜５０ｇ/ｍ２の目付の不織布が使用できる。なお、清掃用不織布層３１と付着用不織布層２７を同一の不織布で形成することもできる。
【００２８】
また、拭き取り方向Ａにおけるウエットモップクロス３の両端部には、付着用不織布層２７と、吸水保水層２９と、清掃用不織布層３１とが、例えば加熱処理によって一体化加工されてなるシール部３３が形成されている。このシール部３３により、ウエットモップクロス３の各層が分離し難くなっている。シール部３３の形成方法としては、例えば、超音波圧着、熱エンボス等を使用することができる。また、シール部３３の形成と一緒に、ウエットモップクロス３全体にエンボスパターンを形成してもよい。シール部３３の幅は、例えば２ｍｍ以上、あるいは５ｍｍ以上、２０ｍｍ以下、あるいは１０ｍｍ以下とすることができる。
【００２９】
続いて、上記モップヘッド１を備えたモップ１０による作用効果について説明する。
【００３０】
図４は、ウエットモップクロス３が装着され使用状態のモップヘッド１の端部を模式的に示す断面図である。なお、ウエットモップクロス３の詳細な層構造については図示を省略している。図に示されるように、ウエットモップクロス３はクロス取付面１５の段差に追従して付着し、拭き取り方向Ａにおけるウエットモップクロス３の両端部は段差部１５ｂに付着する。そうすると、段差部１５ｂの位置において、ウエットモップクロス３の両端部は床面Ｆから浮いた状態となる。或いは、段差部１５ｂの位置において、ウエットモップクロス３の両端部は床面Ｆに対して弱い力で接触した状態となる。従って、拭き取り方向Ａにモップヘッド１が動かされた場合に、ウエットモップクロス３の両端部に作用する拭き取り抵抗力が軽減され、その結果、ウエットモップクロス３の両端部のめくれが抑制される。よって、モップヘッド１によれば、めくれ抑制のためにウエットモップクロス３をモップヘッド１の上方まで折り返す等の措置は必要性が低く、小型化されたウエットモップクロス３の使用が可能になり、消耗品であるウエットモップクロス３の製造コスト低減が図られる。
【００３１】
また、アダプター７の台座プレート２１が硬質の板材であることにより、アダプター７全体の剛性が確保される。また、下部板材２３が軟質の板材であることにより、床面の凹凸が下部板材２３の変形によって吸収され、下部板材２３の下に位置するウエットモップクロス３が床面に密着しやすい。
【００３２】
なお、図５に示されるように、モップヘッド１におけるモップホルダー５が省略され、上記のアダプター７自体がモップヘッド５１を構成してもよい。この場合、アダプター７の上面に柄９を直接取り付けることができる。また、図６に示されるように、棒状の柄９に代えて環状の取っ手５３をアダプター７の上面に設けてもよい。
【００３３】
（第２実施形態）
本実施形態のモップ及びモップヘッドは、アダプター７に代えて、図７に示されるアダプター６１を採用する。本実施形態のモップヘッド及びモップが備える他の構成要素は第１実施形態と同様であるので、図示と説明を省略する。また、本実施形態において、第１実施形態と同一又は同等の構成要素については、図面に同一符号を付して重複する説明を省略する。
【００３４】
アダプター６１の台座プレート６３は、拭き取り方向Ａにおける両端部に段差が生じるように屈曲されている。すなわち、台座プレート６３自体の屈曲形状によって、アダプター６１のクロス取付面１５の両端に段差が生じ、クロス取付面１５は、拭き取り方向Ａにおける両端部のそれぞれに設けられ中央部１５ａに対して低く形成された段差部１５ｂを有する。そして、中央部１５ａが仮想平面Ｂに接地した場合に、拭き取り方向Ａにおけるクロス取付面１５の両端のエッジ１５ｅが仮想平面Ｂから離れて位置する。この構成のモップヘッドによっても、第１実施形態と同様の作用効果が奏される。
【００３５】
（第３実施形態）
本実施形態のモップ及びモップヘッドは、アダプター７に代えて、図８に示されるアダプター７１を採用する。本実施形態のモップヘッド及びモップが備える他の構成要素は第１実施形態と同様であるので、図示と説明を省略する。また、本実施形態において、第１実施形態と同一又は同等の構成要素については、図面に同一符号を付して重複する説明を省略する。
【００３６】
アダプター７１の台座プレート７３では、拭き取り方向Ａにおける両端部が上方に向けて屈曲されており、両端に傾斜部が設けられている。当該台座プレート７３の下面全体には、例えば両面テープ７５を介して面ファスナー１７が固定されている。この構造により、アダプター７１のクロス取付面１５は、拭き取り方向Ａにおける両端部のそれぞれに設けられ、中央部１５ａに対して傾斜した傾斜部１５ｃを有する。そして、中央部１５ａが仮想平面Ｂに接地した場合に、拭き取り方向Ａにおけるクロス取付面１５の両端のエッジ１５ｅが仮想平面Ｂから離れて位置する。この構成のモップヘッドによっても、第１実施形態と同様の作用効果が奏される。
【００３７】
以上、本考案の実施形態について説明したが、本考案は、上記実施形態に限られるものではなく、各請求項に記載した要旨を変更しない範囲で変形したものであってもよい。各実施形態及び変形例が備える各構成要素は、適宜自由に組み合わせて採用することもできる。
【符号の説明】
【００３８】
１，５１…モップヘッド、３…ウエットモップクロス、８…ホルダー取付面、１５…クロス取付面、１５ａ…中央部、１５ｂ…段差部、１５ｃ…傾斜部、１５ｅ…エッジ、１７…面ファスナー、２７…付着用不織布層、２９…吸水保水層、３１…清掃用不織布層、３３…シール部、Ａ…拭き取り方向、Ｂ…仮想平面、Ｆ…床面。
【図１】
0003194573.tif 000003
【図２】
0003194573.tif 000004
【図３】
0003194573.tif 000005
【図４】
0003194573.tif 000006
【図５】
0003194573.tif 000007
【図６】
0003194573.tif 000008
【図７】
0003194573.tif 000009
【図８】
0003194573.tif 000010